(57)【要約】【課題】  商品の情報を一括して管理してそれぞれの商品の情報を消費者に提供し、消費者から小売店や生産者への情報も一元管理する商品情報提供システムを提供する。【解決手段】  移動機２が、ＲＦＩＤタグ４１のＩＣチップ４２が記憶している商品ＩＤを読み取って、トレーサビリティシステム６４に送信する。トレーサビリティシステム６４では、サーバ部６５が、受信した商品ＩＤに対応する情報を各ＤＢから抽出して、移動機２に送信する。移動機２は、受信した情報を表示部２９に表示する。【選択図】  図１
2006012086.tif 000002
【特許請求の範囲】
【請求項１】
商品に添付されているタグが記憶している商品を特定する情報である商品ＩＤを読み出す情報読み出し手段と、通信ネットワークに接続して情報を送受信する移動機通信手段と、情報を表示する表示手段とを含む移動機と、
商品の情報を記憶するデータベースと、データベースから情報を抽出する情報抽出手段と、通信ネットワークに接続する通信手段とを含むサーバとを備え、
前記移動機通信手段は、前記情報読み出し手段が読み出した商品ＩＤを前記通信ネットワークを介して前記サーバに送信し、
前記通信手段は、前記移動機通信手段が送信した前記商品ＩＤを受信し、
前記情報抽出手段は、前記通信手段が受信した前記商品ＩＤが示す商品の情報を前記データベースから抽出し、
前記通信手段は、前記情報抽出手段が抽出した情報を前記通信ネットワークを介して前記移動機に送信し、
前記移動機通信手段は、前記通信手段が送信した情報を受信し、
前記表示手段は、前記移動機通信手段が受信した情報を表示する
ことを特徴とする商品情報提供システム。
【請求項２】
移動機は、ユーザが商品に対する情報を入力する情報入力手段を含み、移動機通信手段は、情報読み出し手段が読み出した商品ＩＤと、前記情報入力手段に入力された商品に対する情報とを通信ネットワークを介してサーバに送信し、
サーバは、商品に対する情報をデータベースに記憶させる情報書き込み手段を含み、通信手段は、前記移動機通信手段が送信した商品ＩＤと商品に対する情報とを受信し、前記情報書き込み手段は、前記通信手段が受信した商品ＩＤと商品に対する情報とを対応づけて前記データベースに記憶させる
請求項１記載の商品情報提供システム。
【請求項３】
移動機は、商品に添付されているタグに情報を記憶させる情報書き込み手段を含む
請求項１または請求項２記載の商品情報提供システム。
【請求項４】
移動機は、現在の日時を特定する計時手段を含み、移動機通信手段は、前記計時手段が特定した日時と、情報読み出し手段が読み出した商品ＩＤとをサーバに送信し、
前記サーバにおいて、データベースは、日時と商品ＩＤとに対応づけて商品の情報を記憶し、情報抽出手段は、前記移動機通信手段が送信した日時と商品ＩＤとに対応づけられた商品の情報を抽出し、通信手段は、前記情報抽出手段が抽出した情報を前記移動機に送信し、
前記移動機において、前記移動機通信手段は、前記通信手段が送信した情報を受信し、前記表示手段は、前記移動機通信手段が受信した情報を表示し、情報書き込み手段は、前記移動機通信手段が受信した情報を商品に添付されているタグに記憶させる
請求項３記載の商品情報提供システム。
【請求項５】
商品に添付されているタグは、商品が正規品であることを示す情報を記憶し、
情報書き込み手段は、前記商品に添付されているタグに、商品を転売したことを示す情報を記憶させる
請求項３または請求項４記載の商品情報提供システム。
【請求項６】
移動機は、現在の位置を特定する位置検出手段を含み、移動機通信手段は、前記位置検出手段が特定した現在の位置と、情報読み出し手段が読み出した商品ＩＤとをサーバに送信し、
サーバにおいて、データベースは、移動機の位置と商品ＩＤとに対応づけて商品の情報を記憶し、情報抽出手段は、前記移動機通信手段が送信した移動機の位置と商品ＩＤとに対応づけられた商品の情報を抽出し、通信手段は、前記情報抽出手段が抽出した情報を前記移動機に送信し、
前記移動機において、前記移動機通信手段は、前記通信手段が送信した情報を受信し、表示手段は、前記移動機通信手段が受信した情報を表示し、情報書き込み手段は、前記移動機通信手段が受信した情報を商品に添付されているタグに記憶させる
請求項３記載の商品情報提供システム。
【請求項７】
情報書き込み手段は、商品に添付されているタグが記憶している情報を消去する
請求項３から請求項６のうちいずれか１項記載の商品情報提供システム。
【請求項８】
商品の情報を記憶するデータベースと、データベースから情報を抽出する情報抽出手段と、通信ネットワークに接続する通信手段とを備え、
前記通信手段は、商品を示す情報である商品ＩＤを情報端末から受信し、
前記情報抽出手段は、前記通信手段が受信した前記商品ＩＤが示す商品の情報を前記データベースから抽出し、
前記通信手段は、前記情報抽出手段が抽出した情報を前記通信端末に送信する
ことを特徴とする商品情報提供サーバ。
【請求項９】
データベースは、日時と商品ＩＤとに対応づけて商品の情報を記憶し、
通信手段は、日時と商品ＩＤとを情報端末から受信し、
情報抽出手段は、前記通信手段が受信した前記日時と前記商品ＩＤとに対応づけられた商品の情報を前記データベースから抽出し、
前記通信手段は、前記情報抽出手段が抽出した情報を前記通信端末に送信する
請求項８記載の商品情報提供サーバ。
【請求項１０】
商品に添付されているタグが記憶している商品を特定する情報である商品ＩＤを読み出し、
読み出した前記商品ＩＤが示す商品の情報を、商品の情報を記憶するデータベースから抽出し、
抽出した情報を表示する
ことを特徴とする商品情報提供方法。
【請求項１１】
商品に添付されているタグに情報を記憶させる
請求項１０記載の商品情報提供方法。
【請求項１２】
現在の日時を特定し、
特定した日時と、読み出した商品ＩＤとに対応づけられた商品の情報を、日時と商品ＩＤとに対応づけて商品の情報を記憶するデータベースから抽出し、
抽出した情報を表示して、商品に添付されているタグに記憶させる
請求項１１記載の商品情報提供方法。
【請求項１３】
現在の位置を特定し、
特定した位置と、読み出した商品ＩＤとに対応づけられた商品の情報を、位置と商品ＩＤとに対応づけて商品の情報を記憶するデータベースから抽出し、
抽出した情報を表示して、商品に添付されているタグに記憶させる
請求項１１記載の商品情報提供方法。
【請求項１４】
商品に添付されているタグは、商品が正規品であることを示す情報を記憶し、
前記商品に添付されているタグに、商品を転売したことを示す情報を記憶させる
請求項１１または請求項１２記載の商品情報提供方法。
【請求項１５】
商品に添付されているタグが記憶している情報を消去する
請求項１１から請求項１４のうちいずれか１項記載の商品情報提供方法。
【請求項１６】
商品の情報を記憶するデータベースを備えたコンピュータに搭載される商品情報提供プログラムにおいて、
コンピュータに、
データベースから情報を抽出する情報抽出処理と、通信ネットワークに接続する通信処理とを実行させ、
前記通信処理で、商品を特定する情報である商品ＩＤを情報端末から受信させ、
前記情報抽出処理において、前記通信処理で受信した前記商品ＩＤが示す商品の情報を前記データベースから抽出させ、
前記通信処理において、前記情報抽出処理で抽出した情報を前記通信端末に送信させる
ことを特徴とする商品情報提供プログラム。
【請求項１７】
データベースは、日時と商品ＩＤとに対応づけて商品の情報を記憶し、
通信処理で、日時と商品ＩＤとを情報端末から受信させ、
情報抽出処理において、前記通信処理で受信した前記日時と前記商品ＩＤとに対応づけられた商品の情報を前記データベースから抽出させ、
前記通信処理において、前記情報抽出処理で抽出した情報を前記通信端末に送信させる
請求項１６記載の商品情報提供プログラム。
【発明の詳細な説明】
【技術分野】
【０００１】
本発明は、消費者が商品に触れることなく商品の情報を消費者に提供する商品情報提供システム、商品情報提供方法、商品情報提供サーバおよび商品情報提供プログラムに関する。
【背景技術】
【０００２】
移動体通信技術の発達にともない、携帯電話機はますます軽量化、小型化が進むと共に、音声通話だけでなくデータの送受信ができるようになり、多くの人が携帯電話機を所有し、携帯電話機は大幅に普及している。
【０００３】
一方、ＢＳＥ（牛海綿状脳症）や、遺伝子組み替え食品、鳥インフルエンザ等の問題が発生し、食の安全性に対する関心が高まっている。
【０００４】
そこで、従来のシステムの一例として、商品に商品の情報を記憶したＩＤタグを添付し、店舗の売り場にＩＤタグの読み取り機と読み取った情報を表示する表示手段とを設置して、消費者がＩＤタグの読み取り機に商品を近づけてＩＤタグが記憶している情報を読み取らせると、表示手段にＩＤタグが記憶している情報を表示するシステムがある。
【０００５】
なお、物品にＩＤタグを添付し、携帯端末でＩＤタグが記憶しているタグ情報を読み取り、読み取ったタグ情報にもとづいて、タグ管理サーバから物品の情報を受信するシステムが提案されている（例えば、特許文献１参照。）。
【０００６】
また、インターネットを介してユーザの意見を受け付けるシステムが提案されている（例えば、特許文献２参照。）
【０００７】
【特許文献１】特開２００３−１５７４７７号公報  （段落（００１４）〜（００６５）、図１）
【特許文献２】特開２００３−１７３３８９号公報  （段落（００２３）〜（００３１）、図１）
【発明の開示】
【発明が解決しようとする課題】
【０００８】
しかし、従来のシステムでは、消費者が商品を手にとってＩＤタグの読み取り機に近づける必要があり、食料品や、直接肌に触れる下着類などのように、不特定な他人に触れられた商品に対して、消費者の購入意欲が低下し、販売機会を損失してしまうという問題がある。
【０００９】
また、ＩＤタグの読み取り機の設備投資が、中小の小売店にとって負担になるという問題がある。
【００１０】
特許文献１に記載されているシステムは、ＩＤタグに情報を記憶させることを考慮していないため、タグ管理サーバから一度受信した物品の情報を再度参照したい場合、再びタグ管理サーバに接続して物品の情報を受信しなければならない。
【００１１】
特許文献２に記載されているシステムは、ユーザがクライアント装置に商品名を入力するという作業を行わなければならないため、ユーザの負担が重いという問題がある。そのため、そのような作業の負担が重いと感じるユーザは意見を送信しないため、結果的に受け付ける意見の数が少なくなってしまう。
【００１２】
そこで、本発明は、情報を記憶するタグを用いて、商品の情報を消費者に提示することができ、消費者が商品を使用した意見等を店や生産者に知らせることができる商品情報提供システム、商品情報提供方法、商品情報提供サーバおよび商品情報提供プログラムを提供することを目的とする。
【課題を解決するための手段】
【００１３】
本発明による商品情報提供システムは、商品に添付されているタグが記憶している商品を特定する情報である商品ＩＤを読み出す情報読み出し手段と、通信ネットワークに接続して情報を送受信する移動機通信手段と、情報を表示する表示手段とを含む移動機と、商品の情報を記憶するデータベースと、データベースから情報を抽出する情報抽出手段と、通信ネットワークに接続する通信手段とを含むサーバとを備え、移動機通信手段は、情報読み出し手段が読み出した商品ＩＤを通信ネットワークを介してサーバに送信し、通信手段は、移動機通信手段が送信した商品ＩＤを受信し、情報抽出手段は、通信手段が受信した商品ＩＤが示す商品の情報をデータベースから抽出し、通信手段は、情報抽出手段が抽出した情報を通信ネットワークを介して移動機に送信し、移動機通信手段は、通信手段が送信した情報を受信し、表示手段は、移動機通信手段が受信した情報を表示することを特徴とする。
【００１４】
移動機は、ユーザが商品に対する情報を入力する情報入力手段を含んでもよく、移動機通信手段は、情報読み出し手段が読み出した商品ＩＤと、情報入力手段に入力された商品に対する情報とを通信ネットワークを介してサーバに送信してもよく、サーバは、商品に対する情報をデータベースに記憶させる情報書き込み手段を含んでもよく、通信手段は、移動機通信手段が送信した商品ＩＤと商品に対する情報とを受信してもよく、情報書き込み手段は、通信手段が受信した商品ＩＤと商品に対する情報とを対応づけてデータベースに記憶させてもよい。そのような構成によれば、移動機のユーザによる商品に対する意見等の情報を、サーバのデータベースに記憶させることができる。
【００１５】
移動機は、商品に添付されているタグに情報を記憶させる情報書き込み手段を含んでもよい。
【００１６】
移動機は、現在の日時を特定する計時手段を含んでもよく、移動機通信手段は、計時手段が特定した日時と、情報読み出し手段が読み出した商品ＩＤとをサーバに送信してもよく、サーバにおいて、データベースは、日時と商品ＩＤとに対応づけて商品の情報を記憶してもよく、情報抽出手段は、移動機通信手段が送信した日時と商品ＩＤとに対応づけられた商品の情報を抽出してもよく、通信手段は、情報抽出手段が抽出した情報を移動機に送信してもよく、移動機において、移動機通信手段は、通信手段が送信した情報を受信してもよく、表示手段は、移動機通信手段が受信した情報を表示してもよく、情報書き込み手段は、移動機通信手段が受信した情報を商品に添付されているタグに記憶させてもよい。そのような構成によれば、移動機のユーザは、日時と商品ＩＤとに対応づけられた情報を参照して、タグに記憶させることができる。
【００１７】
商品に添付されているタグは、商品が正規品であることを示す情報を記憶してもよく、情報書き込み手段は、商品に添付されているタグに、商品を転売したことを示す情報を記憶させてもよい。そのような構成によれば、転売された商品であっても、商品が正規品であることを示すことができる。
【００１８】
移動機は、現在の位置を特定する位置検出手段を含んでもよく、移動機通信手段は、位置検出手段が特定した現在の位置と、情報読み出し手段が読み出した商品ＩＤとをサーバに送信してもよく、サーバにおいて、データベースは、移動機の位置と商品ＩＤとに対応づけて商品の情報を記憶してもよく、情報抽出手段は、移動機通信手段が送信した移動機の位置と商品ＩＤとに対応づけられた商品の情報を抽出し、通信手段は、情報抽出手段が抽出した情報を移動機に送信してもよく、移動機において、移動機通信手段は、通信手段が送信した情報を受信してもよく、表示手段は、移動機通信手段が受信した情報を表示してもよく、情報書き込み手段は、移動機通信手段が受信した情報を商品に添付されているタグに記憶させてもよい。そのような構成によれば、移動機のユーザは、位置と商品ＩＤとに対応づけられた情報を参照して、タグに記憶させることができる。
【００１９】
情報書き込み手段は、商品に添付されているタグが記憶している情報を消去してもよい。そのような構成によれば、他人がデータベースの情報を受信したり、他人が情報をデータベースに記憶させたりすることを防ぐことができる。
【００２０】
本発明による商品情報提供サーバは、商品の情報を記憶するデータベースと、データベースから情報を抽出する情報抽出手段と、通信ネットワークに接続する通信手段とを備え、通信手段は、商品を示す情報である商品ＩＤを情報端末から受信し、情報抽出手段は、通信手段が受信した商品ＩＤが示す商品の情報をデータベースから抽出し、通信手段は、情報抽出手段が抽出した情報を通信端末に送信することを特徴とする。
【００２１】
データベースは、日時と商品ＩＤとに対応づけて商品の情報を記憶してもよく、通信手段は、日時と商品ＩＤとを情報端末から受信してもよく、情報抽出手段は、通信手段が受信した日時と商品ＩＤとに対応づけられた商品の情報をデータベースから抽出してもよく、通信手段は、情報抽出手段が抽出した情報を通信端末に送信してもよい。そのような構成によれば、日時と商品ＩＤとに対応づけられた情報を、通信端末に提供することができる。
【００２２】
本発明による商品情報提供方法は、商品に添付されているタグが記憶している商品を特定する情報である商品ＩＤを読み出し、読み出した商品ＩＤが示す商品の情報を、商品の情報を記憶するデータベースから抽出し、抽出した情報を表示することを特徴とする。
【００２３】
商品に添付されているタグに情報を記憶させてもよい。
【００２４】
現在の日時を特定してもよく、特定した日時と、読み出した商品ＩＤとに対応づけられた商品の情報を、日時と商品ＩＤとに対応づけて商品の情報を記憶するデータベースから抽出してもよく、抽出した情報を表示して、商品に添付されているタグに記憶させてもよい。そのような方法によれば、日時と商品ＩＤとに対応づけられた商品の情報を提供することができる。
【００２５】
現在の位置を特定してもよく、特定した位置と、読み出した商品ＩＤとに対応づけられた商品の情報を、位置と商品ＩＤとに対応づけて商品の情報を記憶するデータベースから抽出してもよく、抽出した情報を表示して、商品に添付されているタグに記憶させてもよい。そのような方法によれば、位置と商品ＩＤとに対応づけられた商品の情報を提供することができる。
【００２６】
商品に添付されているタグは、商品が正規品であることを示す情報を記憶してもよく、商品に添付されているタグに、商品を転売したことを示す情報を記憶させてもよい。そのような方法によれば、転売された商品であっても、商品が正規品であることを示すことができる。
【００２７】
商品に添付されているタグが記憶している情報を消去してもよい。そのような方法によれば、他人がデータベースの情報を受信したり、他人が情報をデータベースに記憶させたりすることを防ぐことができる。
【００２８】
本発明による商品情報提供プログラムは、商品の情報を記憶するデータベースを備えたコンピュータに搭載される商品情報提供プログラムであって、コンピュータに、データベースから情報を抽出する情報抽出処理と、通信ネットワークに接続する通信処理とを実行させ、通信処理で、商品を特定する情報である商品ＩＤを情報端末から受信させ、情報抽出処理において、通信処理で受信した商品ＩＤが示す商品の情報をデータベースから抽出させ、通信処理において、情報抽出処理で抽出した情報を通信端末に送信させることを特徴とする。
【００２９】
データベースは、日時と商品ＩＤとに対応づけて商品の情報を記憶してもよく、通信処理で、日時と商品ＩＤとを情報端末から受信させてもよく、情報抽出処理において、通信処理で受信した日時と商品ＩＤとに対応づけられた商品の情報をデータベースから抽出させてもよく、通信処理において、情報抽出処理で抽出した情報を通信端末に送信させてもよい。そのような構成によれば、日時と商品ＩＤとに対応づけられた商品の情報を提供することができる。
【発明の効果】
【００３０】
本発明によれば、商品の生産情報や流通情報を一括して管理し、それぞれの商品に対する情報を消費者一人一人に提示することができ、消費者から店舗や生産者への情報も一元管理できるので、消費者に対するきめ細かいサービスや情報を提供することができる。
【発明を実施するための最良の形態】
【００３１】
実施の形態１．
本発明の第１の実施の形態について、図面を参照して説明する。図１は、本発明の第１の実施の形態の構成を説明するブロック図である。
【００３２】
本発明の第１の実施の形態の商品流通情報システムは、商品を特定する情報である商品ＩＤを記憶したＲＦＩＤ（Ｒａｄｉｏ  Ｆｒｅｑｕｅｎｃｙ  ＩＤｅｎｔｉｆｉｃａｔｉｏｎ）タグ４１が添付または埋め込まれた（以下、単に添付という）商品４０、商品４０に添付されたＲＦＩＤタグ４１が記憶している商品ＩＤを読み取り、読み取った商品ＩＤを送信する移動機（情報端末）２、および移動機２が送信した商品ＩＤを受信し、商品ＩＤに対応づけられた情報を移動機２に送信する移動体通信ネットワーク（通信ネットワーク）５０、商品ＩＤに対応づけられた情報を記憶し、記憶している情報を送信するトレーサビリティシステム（サーバ、商品情報提供サーバ）６４、およびトレーサビリティシステム６４と移動体通信ネットワーク５０とを接続する通信ネットワーク７０を含む。
【００３３】
移動体通信ネットワーク５０は、移動機２と無線で接続する基地局５１、基地局５１と接続され、基地局５１に接続した移動機２の発信先が接続されている通信回線と接続する交換機５３、交換機５３と接続され、移動機２の発信先に情報を転送する情報転送システム５４、および移動体通信ネットワーク５０と通信ネットワーク７０とを接続するゲートウェイ５５を含む。
【００３４】
図２は、トレーサビリティシステム６４の一構成例を示す説明図である。トレーサビリティシステム６４は、商品４０の生産流通過程の情報である生産流通履歴情報を記憶する生産流通履歴情報ＤＢ（データベース）６１、商品４０に関する情報である商品付加情報を記憶する商品付加情報ＤＢ６２、消費者のメッセージを記憶する消費者メッセージＤＢ６３、各ＤＢ（データベース）が記憶している情報を抽出したり、各ＤＢに情報を記憶させたりするサーバ部（情報抽出手段、通信手段、情報書き込み手段）６５、およびサーバ部６５に接続され、生産者６ａ〜生産者６ｅ（以下、各生産者という。）が情報を入力し、各生産者が入力した情報をサーバ部６５に出力する端末６６ａ〜端末６６ｅ（以下、各端末という。）を含む。なお、各ＤＢは、商品ＩＤと各情報とを対応づけて記憶している。各端末は、サーバ部６５と、例えばインターネットで接続されている。なお、各端末は、例えば、パーソナルコンピュータによって実現され、サーバ部６５は、例えば、サーバによって実現される。
【００３５】
各生産者が、各端末に情報を入力（登録）すると、サーバ部６５は、商品ＩＤを発行し、発行した商品ＩＤと対応づけて情報を各ＤＢに記憶させる。各生産者は、サーバ部６５が発行した商品ＩＤを各端末を介して確認し、商品ＩＤをＲＦＩＤタグ４１のＩＣチップ４２に記憶させ、商品４０に添付する。このとき、商品ＩＤと共に、トレーサビリティシステム６４の電子メールアドレスやＵＲＬ（Ｕｎｉｆｏｒｍ  Ｒｅｓｏｕｒｃｅ  Ｌｏｃａｔｏｒｓ）をＩＣチップ４２に記憶させてもよい。また、各生産者は、各端末を操作して、サーバ部６５を介して消費者メッセージＤＢ６３が記憶している情報を読み出すことができる。
【００３６】
図３は、移動機２およびＲＦＩＤタグ４１の一構成例を示すブロック図である。移動機２は、携帯電話機としての機能を有する携帯電話部１０と、ＲＦＩＤタグ４１が記憶している情報を読み取る商品ＩＤ読み取り制御部１１とを含む。移動機２は、例えば、携帯電話機で実現される。
【００３７】
携帯電話部１０は、電磁波を送受信するアンテナ２２、アンテナ２２を介して無線信号を送受信する無線送受信部（移動機通信手段）２３、音声信号を無線信号に変換し、無線信号を音声信号に変換する音声変換回路２４、音声信号を音声に変換するスピーカ２５、音声を音声信号に変換するマイクロフォン２６、テキストデータの信号による通信を行うメッセージ通信部２７、移動機２のユーザである消費者３が、指示や文字を入力するキー操作部（情報入力手段）２８、情報を表示する表示部（表示手段）２９、データを一時的に記憶するメモリ２０、および各部を制御する制御部２１を含む。
【００３８】
無線送受信部２３は、音声変換回路２４または制御部２１を介してメッセージ通信部２７が出力した信号を基地局５１に無線送信するための所定の無線周波数の無線信号に周波数変換し、周波数変換した無線信号をアンテナ２２を介して送信したり、アンテナ２２が基地局５１から受信した無線信号を周波数変換して、音声変換回路２４または制御部２１を介してメッセージ通信部２７へ出力したりする。音声変換回路２４は、音声変換のためのコーディック部（図示せず）や時分割接続処理部（図示せず）等を含み、無線信号を音声信号に変換してスピーカ２５に出力したり、マイクロフォン２６が入力した音声信号を無線信号に変換して無線送受信部２３に出力したりする。
【００３９】
メッセージ通信部２７は、トレーサビリティシステム６４に要求する情報を示す情報を無線信号に変換して制御部２１を介して無線送受信部２３に出力したり、無線送受信部２３がトレーサビリティシステム６４から受信した情報を制御部２１を介して表示部２９に表示させるためのデータ変換を行ったりする。キー操作部２８は、ユーザが移動機２を操作するためのキーや、文字を入力するためのキー等を含む。表示部２９は、白黒またはカラー表示の、例えば、液晶画面を含み、ユーザがキー操作部２８を操作して入力した文字や、移動機２への指示を選択するためのメニュー画面、無線送受信部２３が受信した情報等を表示する。
【００４０】
メモリ３０は、商品ＩＤ読み取り制御部１１が読み出したり、トレーサビリティシステム６４から受信したりしたデータを一時的に記憶する。制御部２１は、各部を制御する制御データ等を転送して各部を制御すると共に、送信する情報を無線送受信部２３に出力する。
【００４１】
ＲＦＩＤタグ４１は、商品ＩＤを記憶するＩＣチップ４２、およびＩＣチップ４２が記憶している商品ＩＤを無線で送信するアンテナ４３を含む。
【００４２】
商品ＩＤ読み取り制御部１１は、携帯無線部１０の制御部２１と接続するインタフェース回路３１、商品ＩＤ読み取り制御部１１を制御するプログラム等を記憶するメモリ３２、ＩＣチップ４２が記憶している情報を読み取るＲＦＩＤリーダ（情報読み出し手段）３４、ＩＣチップ４２が記憶している情報を無線で送信するアンテナ３５、および商品ＩＤ読み取り制御部１１の各部を制御する制御部３３を含む。
【００４３】
ＲＦＩＤリーダ３４は、アンテナ３５とＲＦＩＤタグ４１のアンテナ４３とを介して無線でＲＦＩＤタグ４１のＩＣチップ４２が記憶している商品ＩＤを読み取る。アンテナ３５は、ＲＦＩＤタグ４１のアンテナ４３との無線結合に適したコイルである。インタフェース回路３１は、制御部３３と携帯電話部１０の制御部２１とを接続し、ＲＦＩＤリーダ３４が読み取ったＲＦＩＤタグ４１のＩＣチップ４２が記憶している商品ＩＤを携帯電話部１０の制御部２１に出力する。メモリ３２は、ＲＦＩＤタグ４１のＩＣチップ４２が記憶している商品ＩＤを読み取るためのプログラムと、ＲＦＩＤリーダ４３が読み取った商品ＩＤとを記憶する。制御部３３は、メモリ３２が記憶しているＲＦＩＤタグ４１のＩＣチップ４２が記憶している商品ＩＤを読み取るためのプログラムにもとづいて動作し、商品ＩＤ読み取り制御部１１の各部を制御する。
【００４４】
トレーサビリティシステム６４のサーバ部６５は、コンピュータに、各データベースから情報を抽出する情報抽出処理と、通信ネットワークに接続する通信処理とを実行させ、通信処理で、商品を特定する情報である商品ＩＤを移動機２から受信させ、情報抽出処理において、通信処理で受信した商品ＩＤが示す商品の情報を各データベースから抽出させ、通信処理において、情報抽出処理で抽出した情報を移動機２に送信させることを特徴とする商品情報提供プログラムを搭載している。
【００４５】
次に、本発明の第１の実施の形態の動作について、図面を参照して説明する。図４は、本発明の第１の実施の形態の動作を説明するフローチャートである。
【００４６】
移動機２のユーザが移動機２の電源をＯＮにすると（ステップＳ１０１）、移動機２は、所定の手順に従って基地局５１等を介して移動体通信ネットワーク５０に接続されたサーバ（図示せず）に接続し、移動体通信ネットワーク５０のユーザ認証を行う（ステップＳ１０２）。
【００４７】
移動機２のユーザが移動機２を商品４０に添付されているＲＦＩＤタグ４１に近づけ、キー操作部２８を操作してＲＦＩＤリーダ４３にＲＦＩＤタグ４１のＩＣチップ４２が記憶している商品ＩＤを読み取らせる（ステップＳ１０３）。そして、読み取った商品ＩＤと、生産流通履歴情報の送信を要求する情報とを移動体通信ネットワーク５０と通信ネットワーク７０とを介してトレーサビリティシステム６４に送信させる（ステップＳ１０４）。ここで、ＲＦＩＤタグ４１のＩＣチップ４２は、トレーサビリティシステム６４の電子メールアドレスやＵＲＬを記憶していてもよく、移動機２は、ＲＦＩＤタグ４１のＩＣチップ４２が記憶しているトレーサビリティシステム６４の電子メールアドレスやＵＲＬにもとづいて、トレーサビリティシステム６４に、商品ＩＤと生産流通履歴情報の送信を要求する情報とを送信してもよい。
【００４８】
移動体通信ネットワーク５０では、基地局５１が商品ＩＤと生産流通履歴情報の送信を要求する情報とを受信し、交換機５３、情報転送システム５４、ゲートウェイ５５および通信ネットワーク７０を介して、トレーサビリティシステム６４に商品ＩＤと生産流通履歴情報の送信を要求する情報とを送信する（ステップＳ１０５）。
【００４９】
トレーサビリティシステム６４では、サーバ部６５が商品ＩＤと生産流通履歴情報の送信を要求する情報とを受信し、商品ＩＤに対応づけられた生産流通履歴情報を生産流通履歴情報ＤＢ６１から抽出する（ステップＳ１０６）。トレーサビリティシステム６４のサーバ部６５は、抽出した生産流通履歴情報を、移動機２の表示部２９が表示できるフォーマットに加工し、通信ネットワーク７０と移動体通信ネットワーク５０とを介して移動機２に送信する（ステップＳ１０７）。移動体通信ネットワーク５０では、ゲートウェイ５５が生産流通履歴情報を受信して情報転送システム５４に出力し、情報転送システム５４は、基地局５１と移動機２との接続に用いる通信プロトコルに対応するように、生産流通履歴情報に、例えば、パケット化する等の加工を行って交換機５３に出力し、交換機５３は、基地局５１を介して移動機２に生産流通履歴情報を送信する（ステップＳ１０８）。
【００５０】
移動機２では、アンテナ２２を介して無線送受信部２３が生産流通履歴情報を受信し、制御部２１の制御に従って、生産流通履歴情報を表示部２９に表示させる（ステップＳ１０９）。
【００５１】
また、移動機２のユーザが移動機２のキー操作部２８を操作して、商品ＩＤと商品付加情報の送信を要求する情報とを移動体通信ネットワーク５０と通信ネットワーク７０とを介してトレーサビリティシステム６４に送信させると（ステップＳ１１０）、移動体通信ネットワーク５０では、基地局５１が商品ＩＤと商品付加情報の送信を要求する情報とを受信し、交換機５３、情報転送システム５４、ゲートウェイ５５および通信ネットワーク７０を介して、トレーサビリティシステム６４に商品ＩＤと商品付加情報の送信を要求する情報とを送信する（ステップＳ１１１）。
【００５２】
トレーサビリティシステム６４では、サーバ部６５が商品ＩＤと商品付加情報の送信を要求する情報とを受信し、商品ＩＤに対応づけられた商品付加情報を商品付加情報ＤＢ６２から抽出する（ステップＳ１１２）。トレーサビリティシステム６４のサーバ部６５は、抽出した商品付加情報を、移動機２の表示部２９が表示できるフォーマットに加工し、通信ネットワーク７０と移動体通信ネットワーク５０とを介して移動機２に送信する（ステップＳ１１３）。移動体通信ネットワーク５０では、ゲートウェイ５５が商品付加情報を受信して情報転送システム５４に出力し、情報転送システム５４は、基地局５１と移動機２との接続に用いる通信プロトコルに対応するように、商品付加情報に、例えば、パケット化する等の加工を行って交換機５３に出力し、交換機５３は、基地局５１を介して移動機２に商品付加情報を送信する（ステップＳ１１４）。
【００５３】
移動機２では、アンテナ２２を介して無線送受信部２３が商品付加情報を受信し、制御部２１の制御に従って、商品付加情報を表示部２９に表示させる（ステップＳ１１５）。
【００５４】
さらに、移動機２のユーザが移動機２のキー操作部２８を操作して商品を使った感想等の消費者メッセージを入力し（ステップＳ１１６）、商品ＩＤと消費者メッセージとを移動体通信ネットワーク５０と通信ネットワーク７０とを介してトレーサビリティシステム６４に送信させると（ステップＳ１１７）、移動体通信ネットワーク５０では、基地局５１が商品ＩＤと消費者メッセージとを受信し、交換機５３、情報転送システム５４、ゲートウェイ５５および通信ネットワーク７０を介してトレーサビリティシステム６４に商品ＩＤと消費者メッセージとを送信する（ステップＳ１１８）。なお、移動機２の制御部２１は、基地局５１と移動機２との接続に用いる通信プロトコルに対応するように、消費者メッセージに、例えば、パケット化する等の加工を行って基地局５１に商品ＩＤと消費者メッセージとを送信する。
【００５５】
トレーサビリティシステム６４では、サーバ部６５が商品ＩＤと消費者メッセージとを受信し、受信した商品ＩＤと消費者メッセージとを対応づけて消費者メッセージＤＢ６３に記憶させる（ステップＳ１１９）。
【００５６】
次に、本発明の第１の実施の形態を、具体例を挙げて説明する。まず、移動機２のユーザである消費者３が、小売店で生鮮食料品を購入する際、商品ＩＤ読み取り制御部１１を用いて商品４０である生鮮食料品に添付されいるＲＦＩＤタグ４１が記憶している商品ＩＤを読み取る。
【００５７】
そして、消費者３がキー操作部２８を操作して移動機２に移動体通信ネットワーク５０と通信ネットワーク７０とを介してトレーサビリティシステム６４に商品ＩＤを送信させると、トレーサビリティシステム６４のサーバ部６５は、受信した商品ＩＤに対応づけられた生産流通履歴情報を生産流通履歴情報ＤＢ６１から抽出する。ここで、生産流通履歴情報は、例えば、生鮮食料品の生産者の情報や、原材料の情報、流通経路の情報等である。トレーサビリティシステム６４のサーバ部６５は、抽出した生産流通履歴情報を通信ネットワーク７０と移動体通信ネットワーク５０とを介して移動機２に送信する。移動機２の制御部２１は、生産流通履歴情報を表示部２９に表示させる。すると、表示部２９には、例えば、生鮮食料品の生産者の情報や、原材料の情報、流通経路の情報等が表示される。
【００５８】
次に、制御部２１は、消費者３に商品付加情報の表示、または消費者メッセージ登録を選択させるメニュー画面を表示部２９に表示させる。消費者３が、キー操作部２８を操作して商品付加情報の表示を選択すると、移動機２は、商品ＩＤと商品付加情報の送信を要求する情報とを移動体通信ネットワーク５０と通信ネットワーク７０とを介してトレーサビリティシステム６４に送信する。トレーサビリティシステム６４では、サーバ部６５が商品ＩＤと商品付加情報の送信を要求する情報とを受信し、商品ＩＤに対応づけられた商品付加情報を商品付加情報ＤＢから抽出する。ここで、商品付加情報は、例えば、その生鮮食料品のおいしい調理方法や、原産国や豆知識等の情報である。トレーサビリティシステム６４のサーバ部６５は、抽出した商品付加情報を、通信ネットワーク７０と移動体通信ネットワーク５０とを介して移動機２に送信する。移動機２の制御部２１は、商品付加情報を表示部２９に表示させる。すると、表示部２９には、例えば、その生鮮食料品のおいしい調理方法や、原産国や豆知識等の情報が表示される。
【００５９】
そして、消費者３が移動機２のキー操作部２８を操作して商品を使った感想等の消費者メッセージを入力し、商品ＩＤと消費者メッセージとを移動体通信ネットワーク５０と通信ネットワーク７０とを介してトレーサビリティシステム６４に送信すると、トレーサビリティシステム６４では、サーバ部６５が商品ＩＤと消費者メッセージとを受信し、受信した商品ＩＤと消費者メッセージとを対応づけて消費者メッセージＤＢ６３に記憶させる。
【００６０】
なお、ＲＦＩＤタグ４１のＩＣチップ４２が記憶している商品ＩＤを、バーコードやＰＯＳ（Ｐｏｉｎｔ  Ｏｆ  Ｓａｌｅｓ）コードで表現してもよく、携帯電話部１０がカメラ部を備え、カメラ部がバーコードやＰＯＳコードが表現している商品ＩＤを読み取ってもよい。ここで、バーコードに、ＪＡＮ（Ｊａｐａｎｅｓｅ  Ａｒｔｉｃｌｅ  Ｎｕｍｂｅｒ）コードやＱＲ（Ｑｕｉｃｋ  Ｒｅｓｐｏｎｓｅ）コード（登録商標）を用いてもよい。すると、ＲＦＩＤタグ４１を用いないので、商品に添付するＲＦＩＤタグ４１が不要になり、商品ＩＤ読み取り制御部１１の代わりに、より安価なカメラ部を用いるため、より安価な構成の移動機２によって商品の情報を消費者に提供することができる。
【００６１】
また、この実施の形態では、小売店で販売される商品の情報を消費者３に提供したが、音楽配信等の、実際の流通業（仲卸や運輸などの業態）を経由しないバーチャルな市場において、商品の情報を消費者３に提供してもよい。
【００６２】
以上、述べたように、この実施の形態によれば、移動機２が携帯電話部１０と商品ＩＤ読み取り制御部１１とを備えているので、移動機２のユーザは音声通話やデータの送受信ができるだけでなく、個々の商品（すなわち、陳列されている１つ１つの商品）の生産流通履歴情報や商品付加情報を受け取り、消費者メッセージとして商品の感想や意見を発信することができる。
【００６３】
また、移動機２が商品ＩＤを読み取る機能を備えているため、移動機２のユーザである消費者３が商品を動かすことなく商品ＩＤを移動機２に読み取らせることができる。そのため、食料品など、不特定な他人に触られた商品を購入することを心理的に嫌がる消費者に、不特定な他人が商品を固定式の商品ＩＤ読み取り機に移動させたのではないかという疑念を持たせずに商品を販売する環境を提供することができる。また、損傷しやすい食料品の場合、消費者が商品を触らないため商品の損傷を防ぐことができ、小売店は商品の販売機会の損失を減らすことができる。
【００６４】
実施の形態２．
本発明の第２の実施の形態について説明する。本発明の第２の実施の形態は、移動機２の商品ＩＤ読み出し制御部１１が、ＲＦＩＤタグ４１のＩＣチップ４２に情報を書き込む機能を有するＲＦＩＤライタ（図示せず）を含む点が本発明の第１の実施の形態と異なる。また、商品付加情報ＤＢ６２は、商品ＩＤおよび日時と、商品付加情報とを対応づけて記憶している。その他の回路等の動作は第１の実施の形態における動作と同様なため、図１、図２および図３と同じ符号を付し、説明を省略する。
【００６５】
トレーサビリティシステム６４のサーバ部６５は、コンピュータに、各データベースから情報を抽出する情報抽出処理と、通信ネットワークに接続する通信処理とを実行させ、通信処理で、商品を特定する情報である商品ＩＤを移動機２から受信させ、情報抽出処理において、通信処理で受信した商品ＩＤが示す商品の情報を各データベースから抽出させ、通信処理において、情報抽出処理で抽出した情報を移動機２に送信させ、各データベースは、日時と商品ＩＤとに対応づけて商品の情報を記憶し、通信処理で、日時と商品ＩＤとを移動機２から受信させ、情報抽出処理において、通信処理で受信した日時と商品ＩＤとに対応づけられた商品の情報をデータベースから抽出させることを特徴とする商品情報提供プログラムを搭載している。
【００６６】
本発明の第２の実施の形態の動作について説明する。移動機２のユーザが移動機２の電源をＯＮにすると、移動機２は、所定の手順に従って基地局５１等を介して移動体通信ネットワーク５０に接続されたサーバに接続し、移動体通信ネットワーク５０のユーザ認証を行う。
【００６７】
移動機２のユーザが移動機２を商品４０に添付されているＲＦＩＤタグ４１に近づけ、キー操作部２８を操作してＲＦＩＤリーダ４３にＲＦＩＤタグ４１のＩＣチップ４２が記憶している商品ＩＤを読み取らせる。移動機２が商品ＩＤを読み取ってから、生産流通履歴情報を表示部２９に表示させるまでの動作は、第１の実施の形態における動作と同様なため、説明を省略する。
【００６８】
そして、移動機２のユーザが移動機２のキー操作部２８を操作して、商品ＩＤと商品付加情報の送信を要求すると、移動機２は、内蔵する時計（図示せず）（計時手段）が示す日時の情報と、商品ＩＤと、商品付加情報の送信を要求する情報とを移動体通信ネットワーク５０と通信ネットワーク７０とを介してトレーサビリティシステム６４に送信する。移動体通信ネットワーク５０では、基地局５１が日時の情報と商品ＩＤと商品付加情報の送信を要求する情報とを受信し、交換機５３、情報転送システム５４、ゲートウェイ５５および通信ネットワーク７０を介してトレーサビリティシステム６４に日時の情報と商品ＩＤと商品付加情報の送信を要求する情報とを送信する。
【００６９】
トレーサビリティシステム６４では、サーバ部６５が日時の情報と商品ＩＤと商品付加情報の送信を要求する情報とを受信し、日時の情報が示す日時と、商品ＩＤとに対応づけられた商品付加情報を商品付加情報ＤＢから抽出する。ここで、サーバ部６５が抽出した商品付加情報は、例えば、日時の情報が１２月であることを示していると、「この時期は暖めて食べるとおいしいです。調理方法は、・・・です。」や、「生産から３ヶ月経過しています。この時期のおいしい調理方法は・・・・です。」、「賞味期限がまもなく切れます。」等の情報である。トレーサビリティシステム６４のサーバ部６５は、抽出した商品付加情報を、移動機２の表示部２９が表示できるフォーマットに加工し、通信ネットワーク７０と移動体通信ネットワーク５０とを介して移動機２に送信する。移動体通信ネットワーク５０では、ゲートウェイ５５が商品付加情報を受信して情報転送システム５４に出力し、情報転送システム５４は、基地局５１と移動機２との接続に用いる通信プロトコルに対応するように、商品付加情報に、例えば、パケット化する等の加工を行って交換機５３に出力し、交換機５３は、基地局５１を介して移動機２に商品付加情報を送信する。
【００７０】
移動機２では、アンテナ２２を介して無線送受信部２３が商品付加情報を受信し、制御部２１の制御に従って、商品付加情報を表示部２９に表示させる。そして、制御部２１は、商品ＩＤ読み取り制御部１１のインタフェース回路３１と制御部３３とを介してＲＦＩＤライタ（図示せず）（情報書き込み手段）に、商品付加情報をＲＦＩＤタグ４１のＩＣチップ４２に記憶させる。ユーザが移動機２に、ＲＦＩＤタグ４１のＩＣチップ４２が記憶している商品付加情報を読み取らせると、制御部２１は、表示部２９に商品付加情報を表示させる。
【００７１】
以上、述べたように、この実施の形態によれば、移動機２が、日時に応じた商品付加情報を受信して、ＲＦＩＤタグ４１のＩＣチップ４２に記憶させるため、ユーザが再度商品付加情報を参照したい場合、トレーサビリティシステム６４と情報を送受信することなく商品付加情報を参照することができる。
【００７２】
なお、小売店が、例えば、高級ブランド品等の商品に添付されたＲＦＩＤタグ４１のＩＣチップ４２に、正規品であることを示す情報を記憶させ、ユーザが、例えば、オークション等で転売する際に、移動機２を操作して転売することを示す情報をＲＦＩＤタグ４１のＩＣチップ４２に追加して記憶させてもよい。すると、盗品や、偽物、横流し品等でないことをＲＦＩＤタグ４１のＩＣチップ４２が示すことができる。
【００７３】
さらに、ユーザが、キー操作部２８を操作して、制御部２１、インタフェース回路３１、および制御部３３を介してＲＦＩＤライタに、ＲＦＩＤタグ４１のＩＣチップ４２が記憶している情報を消去させてもよい。すると、他人が生産流通履歴情報ＤＢ６１および商品付加情報ＤＢ６２が記憶している情報を受信したり、トレーサビリティシステム６４を利用したりすることができなくなるため、トレーサビリティシステム６４がユーザの個人情報や情報受信履歴を記憶していたとしても、トレーサビリティシステム６４が記憶しているユーザの個人情報や情報受信履歴を他人に知られないようにすることができる。
【００７４】
なお、移動機２が、ＧＰＳ（Ｇｌｏｂａｌ  Ｐｏｓｉｔｉｏｎｉｎｇ  Ｓｙｓｔｅｍ）を用いたり、接続している基地局５１の位置情報を用いたりして移動機２の位置を検出する位置検出機能（位置検出手段）を備え、トレーサビリティシステム６４が、例えば、各地域の観光情報を記憶するデータベースを備えていてもよい。さらに、旅行のチケットに、旅行のチケットであることを示す情報を記憶しているＩＣチップ４２を含むＲＦＩＤタグ４１を添付させてもよい。そして、ユーザが、移動機２にＲＦＩＤタグ４１のＩＣチップ４２が記憶している情報を読み取らせ、移動機２が読み取った情報と、移動機２の位置の情報とをトレーサビリティシステム６４に送信すると、トレーサビリティシステム６４のサーバ部６５は、データベースから、移動機２の位置にもとづいた観光情報を抽出して移動機２に送信する。移動機２は、受信した観光情報を、ＲＦＩＤタグ４１のＩＣチップ４２に記憶させる。すると、ユーザは、現在いる位置に応じた観光情報を受信することができる。
【産業上の利用可能性】
【００７５】
本発明は、商品の情報を消費者に提供し、消費者の意見等を生産者等に伝達するシステムに適用することができる。
【図面の簡単な説明】
【００７６】
【図１】本発明の第１の実施の形態の構成を説明するブロック図である。
【図２】トレーサビリティシステム６４の一構成例を示す説明図である。
【図３】移動機およびＲＦＩＤタグの一構成例を示すブロック図である。
【図４】本発明の第１の実施の形態の動作を説明するフローチャートである。
【符号の説明】
【００７７】
２  移動機
３  消費者
６ａ、６ｂ、６ｃ、６ｄ、６ｅ  生産者
２１、３３  制御部
２２、３５、４３  アンテナ
２３  無線送受信部
２４  音声変換回路
２５  スピーカ
２６  マイクロフォン
２７  メッセージ通信部
２８  キー操作部
２９  表示部
３０、３２  メモリ
３１  インタフェース回路
３４  ＲＦＩＤリーダ
４１  ＲＦＩＤタグ
４２  ＩＣチップ
６１  生産流通情報履歴ＤＢ
６２  商品付加情報ＤＢ
６３  消費者メッセージＤＢ
６５  サーバ部
６６ａ、６６ｂ、６６ｃ，６６ｄ，６６ｅ  端末
【図１】
2006012086.tif 000003
【図２】
2006012086.tif 000004
【図３】
2006012086.tif 000005
【図４】
2006012086.tif 000006